(57)【特許請求の範囲】
【請求項１】
オーディオシステムを構成する外部機器から増幅出力される音楽信号を、信号線およびこれとペアになる信号用アース線を介して入力するアンプであって、
前記信号線を自身の非反転端子、前記信号用アース線を自身の反転端子に夫々接続された演算増幅器と、この演算増幅器の出力信号を増幅する電力増幅器と、電源供給を受けて所定値の直流電圧を出力する定電圧回路と、前記反転端子と当該アンプ内の接地点との間に設けられ、前記反転端子と前記接地点との導通・非導通を選択可能なスイッチとを備え、
前記定電圧回路からの直流電圧を定電圧供給線およびこれとペアになる定電圧用アース線を介して外部機器側の定電圧回路に電源供給する場合、前記スイッチの操作によって前記反転端子と前記接地点とを非導通状態とする反面、前記定電圧回路からの直流電圧を定電圧供給線およびこれとペアになる定電圧用アース線を介して外部機器側の定電圧回路に電源供給しない場合、前記スイッチの操作によって前記反転端子と前記接地点とを導通状態とすることを特徴としたアンプ。
【請求項２】
請求項１に記載のアンプにおいて、
前記電力増幅器にはスピーカが接続されていることを特徴とするアンプ。
【発明の詳細な説明】
【技術分野】
【０００１】
本発明は、オーディオシステムを構成する外部機器に電源供給を行うアンプの改良に関する。
【背景技術】
【０００２】
アンプに搭載した電源トランスの出力を、他の機器に搭載された整流回路に直接接続し、更にアース線を整流用アース、定電圧用アース、信号用アースに分離して各機器に接続し、各機器の内の１機器内で上記３本のアース線を、いわゆる一点アースとする構成の装置が提案されている（例えば、特許文献１参照。）。この発明によれば、各機器に２次トランスを設けずに済みこと等から、コスト低減等を図ることができると共に、ハム等での雑音による音質劣化を低減することが可能になる。
【先行技術文献】
【特許文献】
【０００３】
【特許文献１】特開平５−１２１９５６号公報（第２−３頁、第１図）
【発明の概要】
【発明が解決しようとする課題】
【０００４】
しかしながら、上記発明によれば、各機器に２次トランスを設けずに済む代わりに、定電圧用アースおよび信号用アースの他に整流用アースが必要であり、より簡易な構成で電磁誘導等による音質への外来ノイズの影響を低減することが望まれていた。
【０００５】
本発明は、かかる従来の課題を解決するためになされたもので、より簡素な構成で電磁誘導等による音質へのノイズの影響を一層低減させる装置を提供することを目的とする。
【課題を解決するための手段】
【０００６】
上記目的を達成するために、本発明は、オーディオシステム（３００）を構成する外部機器（２００）から増幅出力される音楽信号を、信号線（５５）およびこれとペアになる信号用アース線（５６）を介して入力するアンプ（１００）であって、
前記信号線（５５）を自身の非反転端子、前記信号用アース線を自身の反転端子に夫々接続された演算増幅器（３）と、この演算増幅器（３）の出力信号を増幅する電力増幅器（４）と、電源供給を受けて所定値の直流電圧を出力する定電圧回路（１）と、前記反転端子と当該アンプ内の接地点（２）との間に設けられ、前記反転端子と前記接地点との導通・非導通を選択可能なスイッチ（５）とを備え、
前記定電圧回路（１）からの直流電圧を定電圧供給線（５０）およびこれとペアになる定電圧用アース線（５１）を介して外部機器（２００）側の定電圧回路（１０）に電源供給する場合、前記スイッチ（５）の操作によって前記反転端子と前記接地点（２）とを非導通状態とする反面、前記定電圧回路（１）からの直流電圧を定電圧供給線（５０）およびこれとペアになる定電圧用アース線（５１）を介して外部機器側の定電圧回路（１０）に電源供給しない場合、前記スイッチ（５）の操作によって前記反転端子と前記接地点（２）とを導通状態とすることを特徴とした
【０００７】
この発明によれば、定電圧回路（１）からの直流電圧を定電圧供給線（５０）およびこれとペアになる定電圧用アース線（５１）を介して外部機器（２００）側の定電圧回路（１０）に電源供給する場合、定電圧用アース線（５１）、外部機器内の接地点（１５）、信号用アース線（５６）およびアンプ内の接地点（２）を通るグランドループが形成されてノイズの原因になるが、スイッチ（５）の操作によって、演算増幅器（３）の反転端子と接地点（２）とが非導通状態となって、グランドループが形成されないことになる。この結果、ノイズが低減され音質劣化を防止することが可能になる。一方、定電圧回路（１）からの直流電圧を定電圧供給線（５０）および定電圧用アース線（５１）を介して外部機器側の定電圧回路（１０）に電源供給しない場合にあっても、スイッチ（５）の操作によって反転端子と接地点（２）とを導通状態とすることによって、ノイズが低減されることとなる。
【発明の効果】
【０００８】
本発明によれば、より簡素な構成で電磁誘導等による音質へのノイズの影響を一層低減させる装置を実現することができるという効果が得られる。
【図面の簡単な説明】
【０００９】
【図１】オーディオシステム３００の構成図である。
【図２】本発明の実施形態における作用の説明図である。
【発明を実施するための形態】
【００１０】
以下、本発明の実施の形態について図面を参照しつつ説明する。本発明の実施の形態では、オーディオシステム３００を構成する外部機器２００の一例として電子楽器等の音源からの音楽信号がアンプ１００に送られる例について説明する。なお、外部機器としてはイフェクタ等の音楽装置であって、楽音信号に効果付加したものを音楽信号として出力するもの等様々なものを採用できる。
【００１１】
（構成）
図１は本発明の実施形態であるアンプ１００と外部機器２００とを有して成るオーディオシステム３００の構成図である。アンプ１００は、プラグ７が、例えば家庭用コンセントに差し込まれて１００（Ｖ）の交流電圧が供給された場合、例えば９（Ｖ）の所定値の直流電圧を出力する定電圧回路１と、演算増幅器３と、演算増幅器３の出力に接続され演算増幅器３からの信号を増幅する電力増幅器（パワーアンプ）４と、この電力増幅器４に接続されたスピーカ６と、スイッチ５とを有して構成されている。定電圧回路１からは、定電圧供給線５０とこれとペアになる定電圧用アース線５１とが伸びている。例えば、この定電圧供給線５０と定電圧用アース線５１とは互いに絶縁された状態で被覆され一本のケーブル５３となっている。
【００１２】
演算増幅器３と電力増幅器４の電源供給は定電圧回路１から行われている。また、演算増幅器３と電力増幅器４との接地は、アンプ１００の内部の接地点であるｇｎｄ部２で行われており、これらの電源供給や接地を行うため必要な配線がなされている。また、端子６０、端子６１は、夫々、信号線５５、信号用アース線５６を接続するためのものであり、信号線５５と信号用アース線５６とはペアになってケーブル５７を形成している。例えば、信号線５５と信号用アース線５６とは互いに絶縁された状態で被覆され一本のケーブル５７となっている。なお、ｇｎｄ部２はアンプ１００の筺体（ケース）でとることができる。
【００１３】
また、演算増幅器３の非反転端子には信号線５５が電気的に接続され、また、演算増幅器３の反転端子には信号用アース線５６が電気的に接続されている。かくして、外部機器２００から出力される音楽信号は、信号線５５およびこれとペアになる信号用アース線５６を介してアンプ１００の演算増幅器３に入力される。そして、演算増幅器３の反転端子とアンプ２００内の接地点であるｇｎｄ部２との間にはスイッチ５が設けられており、演算増幅器３の反転端子とｇｎｄ部２との導通・非導通を選択操作可能に構成されている。
【００１４】
一方、オーディオシステム３００を構成する外部機器２００は、端子６５、端子６６を介して夫々、定電圧供給線５０と定電用アース線５１とが電気的に接続されている。そして、外部機器２００側の定電圧回路１０に電源供給される。電源供給を受けた定電圧回路１０は、所定値例えば６（Ｖ）の直流電圧を出力して機器内の所要の箇所に電源供給する。この例では増幅器１２が電源供給されている。この増幅器１２は音源１１から出力される音楽信号を増幅して出力する。
【００１５】
また、端子６８、端子６９によって信号線５５、信号用アース線５６が接続されており、更に、外部機器２００内の接地点であるｇｎｄ部１５には、定電圧用アース線５１と、信号用アース線５６とが電気的に接続されている。そして、外部機器２００から出力される音楽信号（この例では音源１１の出力を増幅器１２で増幅した信号）を、信号線５５および信号用アース線５６を介してアンプ１００側に送る。これにより、音楽信号がアンプ２００側で電力増幅器４によって増幅されてスピーカ６から放音される。なお、ｇｎｄ部１５は外部機器２００の筺体（ケース）でとることができる。
【００１６】
（作用）
次に作用について説明する。アンプ１００から伸びる定電圧供給線５０と、定電圧用アース線５１とを、外部機器２００の端子６５、端子６６に接続しない場合には、スイッチ５を選択操作して、アンプ１００の演算増幅器３の反転端子とｇｎｄ部２（接地点）とを導通状能としておいてもグランドループ（接地点を通るノイズ発生ループのこと）は形成されない。しかしながら、アンプ１００から伸びる定電圧供給線５０と定電圧用アース線５１とを、外部機器２００の端子６５、端子６６に接続した場合には、グランドループが形成されてしまうことになる。
【００１７】
図２は点線（符号Ａで示す）でグランドループが形成された状態を示す説明図である。定電圧用アース線５１、外部機器２００内の接地点であるｇｎｄ部１５、信号用アース線５６および導通状態のスイッチ５、および、アンプ内の接地点であるｇｎｄ部２を通るグランドループが形成され、これがノイズの原因になる。しかしながら、スイッチ５の操作によって、演算増幅器３の反転端子と接地点（ｇｎｄ部２）とを非導通状態とすると、グランドループが形成されないことになる。この結果、ノイズが低減され音質劣化を防止することが可能になる。なお、本発明の実施形態のアンプ１００の定電圧回路１から伸びるケーブル５３を接続せず外部機器２００に電源供給を行わない場合（例えば、外部機器２００が内部電池で動作する場合等）、スイッチ５を導通状態とした方がノイズが低減されるためスイッチ５を導通・非導通選択可能としている。よって、このスイッチ５を設けることにより、外部機器２００の電源供給態様の選択の幅を増やすことができる。
【００１８】
以上説明してきたように、本発明の実施形態によれば、アンプ１００内の演算増幅器３の反転端子とアンプ１００内の接地点であるｇｎｄ部２との間にスイッチ５を設け、演算増幅器３の反転端子とアンプ１００内の接地点であるｇｎｄ部２との導通・非導通を選択操作可能としたので、アンプ１００から伸びる定電圧供給線５０と、定電圧用アース線５１とを、外部機器２００の端子６５、端子６６に接続した場合であってもグランドループの形成を阻止することができる。この結果、極めて簡単な構成で電磁誘導等による音質へのノイズの影響を一層低減させることが可能になる。
【産業上の利用可能性】
【００１９】
以上説明してきたように、オーディオ分野等に利用することができる。
【符号の説明】
【００２０】
１  定電圧回路
３  演算増幅器
４  電力増幅器
５  スイッチ
６  スピーカ
１０  定電圧回路
１１  音源
１２  増幅器
５０  定電圧供給線
５１  定電圧用アース線
５５  信号線
５６  信号用アース線
【図１】
0005633073.tif 000002
【図２】
0005633073.tif 000003